(57)【要約】      （修正有）【課題】小物類が、時計、筆箱等のやや大きめの立体的形状であっても、小物入れ用収納部の開口部から幅広底部の内壁底面に当る所まで押し込むことができる枕を提供する。【解決手段】クッション材を充填する所定形状の収納部本体１と、収納部本体の一端部に開口部３が形成されていると共に、常時、素材自体の可撓性により筒状周胴部４の内周壁が奥に至る程密着状態に変位しかつ筒状周胴部に連続する幅広底部５を有する小物入れ用収納部２とから成る枕であって、小物入れ用収納部は、収納部本体内に押し込まれかつ筒状周胴部の内端部の周縁部分８と幅広底部の周端部分９が一体的に逢着されている。【選択図】図１
0003206614.tif 000002
【実用新案登録請求の範囲】
【請求項１】
クッション材を充填する所定形状の収納部本体と、この収納部本体の一端部に開口部が形成されていると共に、常時、素材自体の可撓性によりその筒状周胴部の内周壁が密着状態に変位しかつ該筒状周胴部に連続する幅広底部を有する小物入れ用収納部とから成る枕であって、
前記小物入れ用収納部は、前記収納部本体内に押し込まれかつ前記筒状周胴部の内端部の周縁部分と前記幅広底部の周端部分は一体的に逢着されている枕。
【請求項２】
請求項１に於いて、収納部本体の縁部の一部に開閉自在な開閉手段を設け、前記クッション材の量を増減できることを特徴とする枕。
【請求項３】
請求項２に於いて、開閉手段が設けられた収納部本体の縁部の内部には、少量のクッション材を入れ或いは取り出すことができる小開口を有する内ポケット部が一枚の布を縫着することにより形成され、前記小開口は前記開閉手段を操作力により開いた時に出来る大開口と連通状態になることを特徴とする枕。
【請求項４】
請求項１に於いて、枕を構成する枕素体は、合計５辺の縁部がそれぞれ直線的に逢着されて扁平状かつ長方形状の収納部本体を形成する上下一対の布体と、前記布体の一端部の略中央部に連続し、合計２辺の縁部がそれぞれ略平行状態に逢着された筒状周胴部と、前記筒状周胴部の周縁部分にその周端部分が一体的に逢着された幅広底部とから成り、前記収納部本体の長辺の縁部の一部に開閉手段としてのファスナーが設けられていることを特徴とする枕。
【考案の詳細な説明】
【技術分野】
【０００１】
本考案は、枕に関し、特に小物類を収納することができる枕に関する。
【背景技術】
【０００２】
特許文献１及び２には、「枕」が記載されている。まず特許文献１には、「枕の縁部に開閉手段を設け、該開閉手段を操作して開き、該枕の内部に形成した袋状の収納部に貴重品を入れること」が記載されている。
【０００３】
この特許文献１は枕のクッション性を利用して袋状の収納部に入れた貴重品を挟持可能に収納することができるという利点があるものの、前記袋状の収納部の内壁底面は、直線上に縫着されていることから、小物類が、時計、筆箱等のやや大きめの立体的形状の場合には、該小物類を袋状の収納部の奥まで押し込むことができない、袋状の収納部の開口部をファスナーで閉じないと、貴重品が開口部から食み出て落ちる恐れがある、枕が出来上がった後、内部のクッション材の量を増減することができない等の問題点がある。
【０００４】
次に特許文献２には、「頭部を載せる深さ調節自在な凹み部を枕の中央部に設け、かつ枕の中身を収容している袋の縁部を部分的に開閉自在に形成するファスナーを設け、枕の中身の量を調節することによって、枕の大幅な高さ調節を行わせ、枕に設けた凹み部の深さ調節による微調節と合わせて枕の高さ調節を行うこと」が記載されている。」
特許文献２は枕のファスナーを開き、枕の中身を充填することができるという利点があるものの、ファスナーを開くと、枕の中身が出て来るという問題点がある。
【先行技術文献】
【特許文献】
【０００５】
【特許文献１】特開２００７−２９２９４号公報
【特許文献２】登録実用新案公報第３０５３７２６号公報
【考案の概要】
【考案が解決しようとする課題】
【０００６】
本考案は特許文献１の欠点に鑑み、第１の目的は、小物類が、時計、筆箱等のやや大きめの立体的形状であっても、該小物類を小物入れ用収納部の開口部から幅広底部の内壁底面に当る所まで押し込むことができることである。第２の目的は、小物類が小物入れ用収納部から簡単に抜け落ちないことである。第３の目的は、収納部本体にクッション材を充填した後に於いても、所望時、開閉手段を操作して開き、前記クッション材の量を増減することができることである。第４の目的は、開閉手段としてのファスナーの大開口から納部本体に充填されているクッション材が即座に飛び出ないことである。
【０００７】
本考案の前記ならびにそのほかの目的と新規な特徴は図面と照らし合わせて読むと、より完全に明らかになるであろう。ただし、図面はもっぱら解説のためのものであって、本考案の技術的範囲を限定するものではない。
【課題を解決するための手段】
【０００８】
上記目的を達成するために、本考案の枕は、クッション材を充填する所定形状の収納部本体と、この収納部本体の一端部に開口部が形成されていると共に、常時、素材自体の可撓性によりその筒状周胴部の内周壁が密着状態に変位しかつ該筒状周胴部に連続する幅広底部を有する小物入れ用収納部とから成る枕であって、前記小物入れ用収納部は、前記収納部本体内に押し込まれかつ前記筒状周胴部の内端部の周縁部分と前記幅広底部の周端部分は一体的に逢着されていることを特徴とする。
【０００９】
上記構成に於いて、収納部本体の縁部の一部に開閉自在な開閉手段を設け、前記クッション材の量を増減できることを特徴とする。また、開閉手段が設けられた収納部本体の縁部の内部には、少量のクッション材を入れ或いは取り出すことができる小開口を有する内ポケット部が一枚の布を縫着することにより形成され、前記小開口は前記開閉手段を操作力により開いた時に出来る大開口と連通状態になることを特徴とする。さらに、枕を構成する枕素体は、合計５辺の縁部がそれぞれ直線的に逢着されて扁平状かつ長方形状の収納部本体を形成する上下一対の布体と、前記布体の一端部の略中央部に連続し、合計２辺の縁部がそれぞれ略平行状態に逢着された筒状周胴部と、前記筒状周胴部の周縁部分にその周端部分が一体的に逢着された幅広底部とから成り、前記収納部本体の長辺の縁部の一部に開閉手段としてのファスナーが設けられていることを特徴とする。
【考案の効果】
【００１０】
以上の説明から明らかなように、本考案にあっては次に列挙する効果が得られる。
（１）請求項１に記載の考案は、小物類Ｓが、時計、筆箱等のやや大きめの立体的形状であっても、該小物類Ｓを小物入れ用収納部２の開口部３から幅広底部５の内壁底面に当る所まで押し込むことができる。付言すると、小物類Ｓは収納部本体１がクッション材を充填していることから、小物入れ用収納部２の内周面に密着して（圧迫され）安定状態となり、簡単に抜け落ちない。
（２）請求項２に記載の考案は、収納部本体にクッション材を充填した後に於いても、所望時、開閉手段を操作して開き、前記クッション材の量を増減することができる。  
（３）請求項３に記載の考案は、クッション材６を納部本体１の内部空間７に入れる間口は狭いものとなっており、例えばファスナー１０を開いても、該ファスナーの大開口２６から納部本体１に充填されている綿６は即座に飛び出ないという利点がある。
（４）請求項４に記載の考案は、請求項１乃至請求項３に記載の考案のそれぞれの利点を有する。
【図面の簡単な説明】
【００１１】
図１乃至図９は本発明の一実施形態を示す各説明図。
【図１】枕の斜視図（小物類も示す）。
【図２】図１の２−２線概略断面図。
【図３】図１の３−３線概略断面図。
【図４】枕の正面視（一端部側）からの説明図。
【図５】枕を構成する枕素体の縫着前の各布地及びファスナーを示す説明図。
【図６】各パーツを縫着した状態で、内壁面が現れている旨の説明図。
【図７】要部（ファスナーの大開口と小開口を有する内ポケット部）の説明図。
【図８】（ａ）は図６の状態の説明図、（ｂ）は幅広底部及び筒状周胴部を収納部本体に押し込んだ状態の説明図、（ｃ）は幅広底部及び筒状周胴部を収納部本体の他端部の充填用開口から引き抜く説明図、（ｄ）は外壁面が現れるように扁平状の収納部本体をひっくり返した説明図。
【図９】（ａ）は図８の（ｄ）の状態に於いて、クッション材を充填用開口から入れる旨の説明図、（ｂ）は収納部本体に綿を入れ所定形状に膨らました状態の説明図、（ｃ）は充填用開口を縫着した説明図。
【考案を実施するための最良の形態】
【００１２】
図１乃至図９は、本発明の一実施形態のクッション性の枕である。まず、図１の枕Ｘの斜視図を参照にして各部位を簡単に説明する。
【００１３】
図１に於いて、１はクッション材を充填する所定形状の収納部本体、２は収納部本体１の一端部の略中央部に開口部３が形成されていると共に、常時、素材自体の可撓性によりその筒状周胴部４の内周壁４ａが奥に至る程密着状態に変位し、かつ、該筒状周胴部４に連続する幅広底部５を有する小物入れ用収納部である。
【００１４】
図１に仮想線で示した小物入れ用収納部２は、後述するように、綿、そば殻、チップ類等のクッション材６が収納部本体１の内部空間７に所要量詰め込まれた後、該内部空間７内に、例えば手で適宜に押し込まれたものである。小物入れ用収納部２は、前記内部空間７内に押し込まれると、内側に収縮状態に変位する。
【００１５】
実施形態では、前記筒状周胴部４の内端部の周縁部分８と、前記幅広底部５の周端部分９が一体的に逢着されているので、小物類Ｓが、時計、筆箱等のやや大きめの立体的形状であっても、該小物類Ｓを小物入れ用収納部２の開口部３から幅広底部５の内壁底面に当る所まで押し込むことができる。小物類Ｓは収納部本体１がクッション材を充填していることから、小物入れ用収納部２の内周面に圧迫的に密着し、その結果、安定状態となり、小物類Ｓは小物入れ用収納部２から容易に抜けない。
【００１６】
好ましい実施形態は、収納部本体１の縁部の一部に開閉手段としてのファスナー１０を設け、前記クッション材６の量を増減できるようにしてある。またファスナー１０を開閉する際、ファスナー１０が綿、そば殻等のクッション材６を咬まないようにするため、或いはクッション材６の量を微調整するために、ファスナー１０が設けられた収納部本体１の縁部の内部には、少量のクッション材を入れ、或いは取り出すことができる小開口１１ａを有する内ポケット部１１が一枚の帯状布１２を縫着することにより形成され、前記小開口１１ａは前記ファスナー１０を開いた時に出来る大開口２６と連通状態になる。
【００１７】
さらに付言すると、図５及び図６で示すように、枕Ｘは、合計５辺の縁部が逢着されて収納部本体１を形成する上下一対の布体（布地）２１、２２と、前記布体２１、２２の一端部の略中央部に連続し、合計２辺の縁部が逢着により形成された前述の筒状周胴部４と、前記筒状周胴部４の周縁部分８にその周端部分９が一体的に逢着された円形又は多角形の幅広底部５とから成る。
【００１８】
次に図２は、図１の２−２線概略断面図、また図３は、図１の３−３線概略断面図、さらに図４は枕Ｘの正面視（一端部側）からの説明図である。好ましい実施形態では、クッション材６の一例として「綿を１００％」使用しているので、上下一対の布体（布地）２１、２２は外方向に膨らんだ状態と成り、その結果、枕Ｘは十分な膨張性或いはクッション性を有している。
【００１９】
上下一対の布体（布地）２１、２２は、素材自体が可撓性或いは弾性体なので、収納部本体１に押し込まれた扁平状の筒状周胴部４は、素材自体の弾性変位力により、その内周壁４ａが奥に至る程密着状態となっている。したがって、特に図示しないが、筆入れ、時計、財布、薄型の携帯端末、通帳、カード類、印鑑などの小物類を前記筒状周胴部４に押し込んだとき、該小物類の外面は筒状周胴部４の内周壁４ａ並びに幅広底部５の内面に圧迫されるので、非常に安定した状態で収納される。
【００２０】
次に図５は、枕Ｘを構成する枕素体Ｘ１の縫着前の各布地２１、２２、５、１２及びファスナー１０（各パーツ）を示す説明図、図６は、各パーツを縫着した状態で、内壁面が現れている旨の説明図である。
【００２１】
この図５で示すように上下一対の布体（布地）２１、２２は、同一形状である。図５に於いて、図面上、上方に描いている一方の布体２１は、手前に見える方が内面である。これに対して、図面上、下方に描いている他方の布体（布地）２２は、手前に見える方が外面である。これらの布体２１、２２の形状は、全体として羽子板状の外観を呈している。
すなわち、符号２１ａ、２２ａは長方形状のカバー部分で、これらのカバー部分２１ａ、２２ａは平坦状の他端部（図面上、右端部）が短辺であり、この短辺と直交する長手方向を略平行な長辺とするものである。
【００２２】
また符号２１ｂ、２２ｂは、平坦状カバー部分２１ａ、２２ａの一端部（図面上、左端部）の略中央部に略矩形状に連続する突片部分で、これらの突片部分２１ｂ、２２ｂが互いに縫着されると、前述した扁平状の筒状周胴部４となる。
【００２３】
５は略円形状の布体（布地）で、この布体が前記突片部分２１ｂ、２２ｂの周縁部分８にその周端部分９が一体的に逢着されると幅広底部となる。
【００２４】
１０はファスナーで、周知の如く、ファスナー１０は、その中央部の務歯１０ａを基準として左右に一対の帯状縫い代部分１０ｂ、１０ｂを有し、さらに前記務歯１０ａを開き又は閉じながらスライドする持ち手（引手）部１０ｃを備えている。
１２は一枚の帯状布で、この帯状布１２は内ポケット部１１を形成するために用いられている。
【００２５】
したがって、枕Ｘを構成する枕素体Ｘ１は、合計５辺の縁部がそれぞれ直線的に逢着されて扁平状かつ長方形状の収納部本体１を形成する上下一対の布体２１，２２と、前記布体の一端部の略中央部に連続し、合計２辺の縁部がそれぞれ略平行状態に逢着された扁平状の筒状周胴部４と、前記扁平状の筒状周胴部の周縁部分にその周端部分が一体的に逢着された幅広底部５とから成り、前記収納部本体１の長辺の縁部の一部に開閉手段としてのファスナー１０が設けられている。
【００２６】
図６は、前記図５に於いて、合計５つのパーツを適宜に縫い合わせ、枕になる前（クッション材６を充填する前）の枕素体Ｘ１である。この枕素体Ｘ１は、扁平状の収納部本体１の後端部の略中央部（中央部寄りの部位も含む）は充填用開口２５となっており、該充填用開口２５及びファスナー１０を設けた箇所を除き、縫着方向が同一か否かを基準にすると、合計５辺の縁部ａ、ｂ、ｃ、ｄ、ｅがそれぞれ直線的に逢着されて収納部本体１を形成し、一方、合計２辺の縁部ｆ、ｇがそれぞれ略平行状態に逢着されて筒状周胴部となっており、筒状周胴部の周縁部分にその周端部分が一体的に逢着された幅広底部が形成されている。この図６の枕素体Ｘ１は、長方形状かつ扁平状の収納部本体１の先端部から筒状周胴部（有底筒状部）４が、いわば「首状」に突出したように見える。
【００２７】
次に、図７はファスナー１０の大開口２６と小開口１１ａを有する内ポケット部１１の説明図である。前述したように、ファスナー１０が設けられた収納部本体１の縁部の内部には、枕Ｘが出来上がった後でも、所望時、少量のクッション材を入れ、或いは取り出すことができる小開口１１ａを有する内ポケット部１１が一枚の帯状布１２を適宜に縫着することにより形成されている。そして、前記小開口１１ａは前記ファスナー１０を開いた時に出来る大開口２６と連通状態になる。
【００２８】
したがって、クッション材としての綿６を納部本体１の内部空間７に入れる間口は狭いものとなっており、ファスナー１０を開いても、該ファスナー１０の大開口２６から納部本体１に充填されている綿６は即座に飛び出ないという利点がある。
【００２９】
次に図８の（ａ）は内壁面が現れている図６の状態の説明図、（ｂ）は幅広底部５及び筒状周胴部４を収納部本体１に押し込んだ状態の説明図、（ｃ）は幅広底部５及び筒状周胴部４を扁平状の収納部本体１の他端部（後端部）の充填用開口２５から引き抜く説明図、（ｄ）は外壁面が現れるように扁平状の収納部本体１をひっくり返した説明図である。
【００３０】
次に図９の（ａ）は図８の（ｄ）の状態に於いて、クッション材６の一例として綿を充填用開口２５から入れる旨の説明図、（ｂ）は扁平状の収納部本体１に綿６を入れ所定形状に膨らました状態の説明図、（ｃ）は充填用開口２５を縫着した説明図である。このように収納部本体１に綿６を所要量充填し、かつ、充填用開口２５を縫着した後に、小物入れ用収納部２は、前記筒状周胴部４を前記収納部本体１内に手で押し込むと、収納部本体内に出来、枕Ｘは外観上図１、図４の如くなる。
【産業上の利用可能性】
【００３１】
本考案は、物類を収納することができる枕として利用される。
【符号の説明】
【００３２】
Ｘ…枕、
Ｘ１…枕素体、
Ｓ…小物類、
１…収納部本体、
２…小物入れ用収納部、
３…開口部、
４…筒状周胴部、
５…幅広底部、
６…クッション材、
７…内部空間、
８…筒状周胴部の周縁部分、
９…幅広底部の周端部分、
１０…開閉手段、
１１…内ポケット部、１１ａ…小開口、
１２…帯状布、
２１…上の布体（生地）、２２…下の布体（生地）、
２５…充填用開口、
２６…大開口。
【図１】
0003206614.tif 000003
【図２】
0003206614.tif 000004
【図３】
0003206614.tif 000005
【図４】
0003206614.tif 000006
【図５】
0003206614.tif 000007
【図６】
0003206614.tif 000008
【図７】
0003206614.tif 000009
【図８】
0003206614.tif 000010
【図９】
0003206614.tif 000011